(57)【要約】【課題】外形サイズの拡大及び内部空間の縮小を抑制しながらＸ線の外部漏洩を抑制可能な磁気シールドルームを提供する。【解決手段】磁気シールドされた内部空間を形成するシールド体を備える磁気シールドルームであって、シールド体は、磁性材料層６１及び高導電率材料層６２からなる磁気シールド層を２つ有し、かつ当該２つの磁気シールド層の間にＸ線遮断材料層６３を有する。Ｘ線遮断材料層６３は、石膏、バリウム、及び鉛の少なくともいずれかを含む。【選択図】図５
2018207012.tif 000002
【特許請求の範囲】
【請求項１】
磁気シールドされた内部空間を形成するシールド体を備え、
前記シールド体の少なくとも一部は、２つの磁性材料層と、前記２つの磁性材料層の間に設けられたＸ線遮断材料層と、を有する、磁気シールドルーム。
【請求項２】
前記シールド体の少なくとも一部は、磁性材料層及び高導電率材料層を含むシールド層を２つ有し、かつ当該２つの磁気シールド層の間にＸ線遮断材料層を有する、請求項１に記載の磁気シールドルーム。
【請求項３】
前記Ｘ線遮断材料層は、石膏、バリウム、及び鉛の少なくともいずれかを含む、請求項１又は２に記載の磁気シールドルーム。
【請求項４】
可搬型である請求項１乃至３のいずれか一項に記載の磁気シールドルーム。
【発明の詳細な説明】
【技術分野】
【０００１】
本発明は、各種磁気計測に用いられる磁気シールドルームに関する。
【背景技術】
【０００２】
下記特許文献１の磁気シールドルームは、外側に位置する高導電材料層と内側に位置する磁性体材料層とを１つの単位層とし、単位層を３層（多層）用いた壁構造を有する。単位層と単位層との間には、電磁シールド効果を高めるために、空気層その他の、高導電材料や磁性体材料以外からなる層が設けられる。
【先行技術文献】
【特許文献】
【０００３】
【特許文献１】特許第５１０４０２４号公報
【発明の概要】
【発明が解決しようとする課題】
【０００４】
近年、磁気シールドルーム内でＸ線照射装置を使用することがある。この場合、従来の磁気シールドルームの構造では、Ｘ線の外部漏洩を防ぐために、磁気シールドルームの外側もしくは内側にＸ線遮断壁を追加で設ける必要がある。そうすると、磁気シールドルームの外形サイズの拡大もしくは内部空間の縮小が避けられなかった。
【０００５】
本発明はこうした状況を認識してなされたものであり、その目的は、外形サイズの拡大及び内部空間の縮小を抑制しながらＸ線の外部漏洩を抑制可能な磁気シールドルームを提供することにある。
【課題を解決するための手段】
【０００６】
本発明のある態様は、磁気シールドルームである。この磁気シールドルームは、
磁気シールドされた内部空間を形成するシールド体を備え、
前記シールド体の少なくとも一部は、２つの磁性材料層と、前記２つの磁性材料層の間に設けられたＸ線遮断材料層と、を有する。
【０００７】
前記シールド体の少なくとも一部は、磁性材料層及び高導電率材料層を含むシールド層を２つ有し、かつ当該２つの磁気シールド層の間にＸ線遮断材料層を有してもよい。
【０００８】
前記Ｘ線遮断材料層は、石膏、バリウム、及び鉛の少なくともいずれかを含んでもよい。
【０００９】
前記磁気シールドルームは、可搬型であってもよい。
【００１０】
なお、以上の構成要素の任意の組合せ、本発明の表現を方法やシステムなどの間で変換したものもまた、本発明の態様として有効である。
【発明の効果】
【００１１】
本発明によれば、外形サイズの拡大及び内部空間の縮小を抑制しながらＸ線の外部漏洩を抑制可能な磁気シールドルームを提供することができる。
【図面の簡単な説明】
【００１２】
【図１】本発明の実施の形態１に係る磁気シールドルーム１を正面左上方向から見た斜視図。
【図２】同じく正面右上方向から見た斜視図。
【図３】同じく背面左上方向から見た斜視図。
【図４】同じく背面右上方向から見た斜視図。
【図５】磁気シールドルーム１のシールド体の積層構造の一例を示す断面図。
【図６】磁気シールドルーム１のシールド体の積層構造の他の例を示す断面図。
【発明を実施するための形態】
【００１３】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１４】
図１〜図５を参照し、本発明の実施の形態に係る磁気シールドルーム１を説明する。磁気シールドルーム１は、上部シールド体１１、側周部シールド体１２、下部シールド体１３、及び側面開口を開閉する扉２０を有する。扉２０は、一枚の扉でもよいが、本実施の形態では左扉２１と右扉２２とからなる観音開き扉であり、図示しないヒンジで側周部シールド体１２の左右の開口縁部に開閉自在に連結される。上部シールド体１１、側周部シールド体１２、及び下部シールド体１３の少なくともいずれかには、図示しない測定器具に接続する配線や、図示しない付帯設備の電源コード、ケーブルを通すための貫通穴５０が形成される。
【００１５】
下部シールド体１３の下側（下面）に、下部シールド体１３よりも高剛性で下部シールド体１３の底面と同寸法の台座７０が設けられ、台座７０上に下部シールド体１３が載置固定される。台座７０は、例えばステンレス鋼からなる。台座７０の底面に、床面上を移動させるための移動手段としてのキャスター７５が少なくとも３個以上取り付けられる。磁気シールドルーム１は、ここでは可搬型であり、キャスター７５を設けたことで移動の際に便利である。キャスター７５のうち少なくとも１つ、好ましくは２つ以上は、ストッパ付きであるとよい。上部シールド体１１、側周部シールド体１２、及び下部シールド体１３は、好ましくは台座７０と導通接続される（同電位となるように電気的に接続される）。なお、台座７０は高剛性で非導電性の非磁性材であってもよい。
【００１６】
上部シールド体１１、側周部シールド体１２、下部シールド体１３、及び扉２０は、磁場ノイズ及び電磁波ノイズを遮蔽できる磁気シールド体であるとともに、Ｘ線を遮蔽できるＸ線遮蔽体であり、図５又は図６に示す層構造を有する積層パネルである。以下、上部シールド体１１、側周部シールド体１２、下部シールド体１３、及び扉２０を、それぞれ単に「シールド体」とも表記する。図５及び図６は、共に隣接する壁面を成すシールド体同士で形成される角部の断面構造を示す。図５は、隣接する壁面を成すシールド体同士が一体である例を示し、図６は、隣接する壁面を成すシールド体同士が別体である例（平板と平板との組合せにより角部を形成した例）を示す。図５及び図６に示すように、各シールド体は、磁性材料層６１及び高導電率材料層６２からなる磁気シールド層を２つ有し、かつ当該２つの磁気シールド層の間にＸ線遮断材料層６３を有する。
【００１７】
磁性材料層６１は、例えば高透磁率磁性体かつ導体としてのパーマロイ板である。高導電率材料層６２は、例えば導体としてのアルミニウム板である。Ｘ線遮断材料層６３は、例えば、石膏、バリウム、及び鉛の少なくともいずれかを含む板体である。パーマロイ板は、磁場ノイズの遮蔽に有効である。アルミニウム板は、高周波の電磁波ノイズの遮蔽に有効である。石膏、バリウム、及び鉛は、いずれもＸ線の遮断に有効である。
【００１８】
貫通穴５０の内周面の少なくとも一部には図示しないパイプ状貫通導体が設けられる。当該パイプ状貫通導体により、磁気シールドルーム１の内部側の磁性材料層６１及び高導電率材料層６２と、外面側の磁性材料層６１及び高導電率材料層６２と、を互いに導通させて同電位にしている。パイプ状貫通導体の材質は、例えばアルミニウム、銅、パーマロイ等である。なお、上部シールド体１１、側周部シールド体１２、及び下部シールド体１３は、それらを構成する磁気シールド体の導体同士が相互に電気的に接続されることが好ましい。
【００１９】
本実施の形態によれば、下記の効果を奏することができる。
【００２０】
(1) 磁性材料層６１及び高導電率材料層６２からなる磁気シールド層を２つ有し、かつ当該２つの磁気シールド層の間にＸ線遮断材料層６３を有するため、Ｘ線の外部漏洩防止用に磁気シールドルーム１の外側もしくは内側にＸ線遮断壁を追加で設ける必要がない。ここで、Ｘ線遮断材料層６３は、従来は磁気シールド効果を高めるために空気層や木材等の非高導電率かつ非磁性の層としていた場所に設けられるため、磁気シールドルーム１は、外形サイズの拡大及び内部空間の縮小を抑制しながらＸ線の外部漏洩を抑制でき、Ｘ線照射装置の使用にも適合する。特に、磁気シールドルーム１は可搬型であって、小型化が求められると共に狭さを感じさせないだけの広い内部空間の確保が重要であることから、外形サイズの拡大及び内部空間の縮小を抑制できる効果の有意性は顕著である。
【００２１】
(2) 上部シールド体１１、側周部シールド体１２、及び下部シールド体１３、のいずれかに、１個又は複数個の貫通穴５０が設けられるため、各種配線作業に便利である。また、貫通穴５０の内面の少なくとも一部に図示しないパイプ状貫通導体を設けて、上部シールド体１１、側周部シールド体１２、又は下部シールド体１３の導体板（磁性材料層６１及び高導電率材料層６２）と導通させることで、貫通穴５０からの電磁波ノイズの漏洩を少なくできる。
【００２２】
(3) 上部シールド体１１、側周部シールド体１２、及び下部シールド体１３、を含む磁気シールドルーム１の本体部を、高剛性の台座７０の上に載置、固定することで、前記本体部の底面の重量が分散、安定し、可動時の磁気シールドルーム１の歪みを少なくできる。
【００２３】
(4) 台座７０が導体である場合、上部シールド体１１、側周部シールド体１２、及び下部シールド体１３（つまり磁気シールドルーム１の本体部）と台座７０とを電気接続することで、磁気シールドルーム１を設置した際のアースが取りやすくなる。つまり、台座７０を外部のアース接続端子に接続すればよい。
【００２４】
以上、実施の形態を例に本発明を説明したが、実施の形態の各構成要素や各処理プロセスには請求項に記載の範囲で種々の変形が可能であることは当業者に理解されるところである。以下、変形例について触れる。
【００２５】
上部シールド体１１、側周部シールド体１２、下部シールド体１３、及び扉２０は、いずれも全面的にＸ線遮断材料層６３を有することが好ましいが、１つのシールド体がＸ線遮断材料層６３を部分的に有するだけでも、Ｘ線遮断材料層６３が無い場合と比較してＸ線の外部漏洩を抑制できる。台座７０及びストッパ付きキャスター７５が無く、下部シールド体１３を例えばコンクリート面に直接載置するような場合は、下部シールド体１３がＸ線遮断材料層６３を有さなくても、Ｘ線の外部漏洩への影響はほとんど無い。
【００２６】
各シールド体の層構造において、少なくとも一方の磁気シールド層は、磁性材料層６１及び高導電率材料層６２の積層順を逆にしてもよい。例えば、Ｘ線遮断材料層６３よりも磁気シールドルーム１の内部空間側の磁気シールド層は、高導電率材料層６２が前記内部空間側で、磁性材料層６１がＸ線遮断材料層６３側となるように積層されてもよい。Ｘ線遮断材料層６３と少なくとも一方の磁気シールド層との間に、空気層や木材層その他の、高導電材料や磁性体材料、Ｘ線遮断材料以外からなる層が設けられてもよい。磁気シールド層は３層以上あってもよく、この場合、Ｘ線遮断材料層６３は２層以上あってもよい。磁気シールド層は、高導電率材料層６２を有さなくてもよい。
【００２７】
本発明の磁気シールドルームの外観は、直方体形状に限定されず、円筒形状等の他の形状であってもよい。扉２０は、回転式に限定されず、スライド式であってもよく、内部空間の開口を開閉可能な構造であればよい。
【符号の説明】
【００２８】
１  磁気シールドルーム、１１  上部シールド体、１２  側周部シールド体、１３  下部シールド体、５０  貫通穴、６１  磁性材料層、６２  高導電率材料層、６３  Ｘ線遮断材料層、７０  台座、７５  キャスター
【図１】
2018207012.tif 000003
【図２】
2018207012.tif 000004
【図３】
2018207012.tif 000005
【図４】
2018207012.tif 000006
【図５】
2018207012.tif 000007
【図６】
2018207012.tif 000008